(57)【要約】      （修正有）【課題】薄肉化加工及びリング保持部への取り付けが容易なガイドリングにより必要な強度と軽量化とを両立することができる釣糸ガイド及び当該釣糸ガイドを備えた釣竿を提供する。【解決手段】ガイド中心軸Ｂに沿って延びる貫通孔が形成されたガイド本体１１と、ガイド本体１１の前記貫通孔に嵌め込まれるガイドリング１２と、を備える。ガイドリング１２は、その第３位置及び第４位置における幅が、第１位置及び第２位置における幅よりも小さくなるように構成されている。釣糸ガイド１０は、竿軸に沿って延びる釣竿に取り付けられる。【選択図】図４
2020156399.tif 000002
【特許請求の範囲】
【請求項１】
竿軸に沿って延びる釣竿に取り付けられる釣糸ガイドであって、
ガイド中心軸に沿って延びる貫通孔が形成されたガイド本体と、
前記ガイド本体の前記貫通孔に嵌め込まれるガイドリングと、
を備え、
前記ガイドリングは、
前記竿軸及び前記ガイド中心軸を通る第１面と前記ガイド中心軸周りの第１位置及び第２位置で交わり、前記第１面に垂直で且つ前記ガイド中心軸を通る第２面と前記ガイド中心軸周りの第３位置及び第４位置で交わり、
前記ガイド中心軸からの視点で、前記第１位置を通る第１湾曲部と、前記第２位置を通る第２湾曲部と、前記第３位置を通り前記第１湾曲部の一端と前記第２湾曲部の一端とを接続する直線状の第１直線部と、前記第４位置を通り前記第１湾曲部の他端と前記第２湾曲部の他端とを接続する直線状の第２直線部と、を有し、
前記第３位置及び前記第４位置における前記ガイド中心軸に沿う方向の幅が、前記第１位置及び前記第２位置における前記ガイド中心軸に沿う方向の幅よりも小さくなるように構成されている、
釣糸ガイド。
【請求項２】
前記第１直線部の前記ガイド中心軸に沿う方向の幅が、前記第１直線部と前記第１湾曲部との接続点から前記第３位置に近づくにつれて幅狭となる、
請求項１に記載の釣糸ガイド。
【請求項３】
前記第１直線部の前記ガイド中心軸に沿う方向の幅が、前記第１直線部と前記第２湾曲部との接続点から前記第１位置に近づくにつれて幅狭となる、
請求項１に記載の釣糸ガイド。
【請求項４】
前記第１湾曲部及び前記第２湾曲部は、前記ガイド中心軸に沿う方向の幅が一定となるように構成されている、
請求項１から請求項３のいずれか１項に記載の釣糸ガイド。
【請求項５】
前記ガイドリングは、前記ガイド中心軸を通る断面視において、その径方向外側から内側に向かって凸となるように湾曲している、
請求項１から請求項４のいずれか１項に記載の釣糸ガイド。
【請求項６】
前記ガイドリングは、前記第１位置において第１厚みを有し、前記第３位置及び前記第４位置において前記第１厚みよりも小さな厚みを有する、
請求項５に記載の釣糸ガイド。
【請求項７】
前記ガイドリングは、前記第２位置において第２厚み（Ｔ２）を有し、前記第３位置及び前記第４位置において前記第２厚みよりも小さな厚みを有する、
請求項５又は請求項６に記載の釣糸ガイド。
【請求項８】
前記ガイドリングは、前記ガイド中心軸を通る断面視において、前記第１位置及び前記第２位置における前記竿軸に沿った曲率半径が前記第３位置及び前記第４位置における前記竿軸に沿った曲率半径よりも大きくなるように構成されている、
請求項５ないし請求項７のいずれか１項に記載の釣糸ガイド。
【請求項９】
前記ガイドリングは、前記第１位置及び前記第２位置において前記ガイド本体よりも前記ガイド中心軸に沿う方向において前方に向かって突出している、
請求項１ないし請求項８のいずれか１項に記載の釣糸ガイド。
【請求項１０】
前記第３位置及び前記第４位置において、前記ガイド中心軸に沿う方向における前記ガイドリングの前方の端部は、前記ガイド本体の前側の端部と面一である、
請求項１ないし請求項９のいずれか１項に記載の釣糸ガイド。
【請求項１１】
前記第３位置及び前記第４位置において、前記ガイド中心軸に沿う方向における前記ガイドリングの後方の端部は、前記ガイド本体の後側の端部と面一である、
請求項１ないし請求項１０のいずれか１項に記載の釣糸ガイド。
【請求項１２】
請求項１ないし請求項１１のいずれか１項に記載の釣糸ガイドを少なくとも１つ備えた釣竿。
【発明の詳細な説明】
【技術分野】
【０００１】
本発明は、釣糸ガイド及び当該釣糸ガイドを備える釣竿に関する。
【背景技術】
【０００２】
釣糸ガイドには、強度と軽量化との両立が求められる。特開平１０−２１５７３５号公報には、リング支持部に取り付けられたガイドリングについて、釣糸がよく接触する部位の肉厚を相対的に厚くし、他の部位の肉厚を相対的に薄くすることで、必要な強度と軽量化との両立を図った釣糸ガイドが開示されている。
【先行技術文献】
【特許文献】
【０００３】
【特許文献１】特開平１０−２１５７３５号公報
【発明の概要】
【発明が解決しようとする課題】
【０００４】
釣糸ガイドのガイドリングは、通常、正面視で円形形状を有するため、周方向における特定の部位のみが薄肉となるように加工することが難しい。また、周方向の特定の部位が薄肉とされたガイドリングを、その薄肉化された部位が初期の方向を向くようにリング保持部に取り付けることは難しい。つまり、周方向の一部が薄肉化されたガイドリングは、リング保持部に取り付ける際に、周方向における位置合わせが難しい。
【０００５】
本発明の目的の一つは、薄肉化加工及びリング保持部への取り付けが容易なガイドリングにより必要な強度と軽量化とを両立することができる釣糸ガイド及び当該釣糸ガイドを備えた釣竿を提供することである。本発明のこれ以外の目的は、本明細書全体を参照することにより明らかとなる。
【課題を解決するための手段】
【０００６】
本発明の一態様に係る釣糸ガイドは、竿軸に沿って延びる釣竿に取り付けられる釣糸ガイドであり、ガイド中心軸に沿って延びる貫通孔が形成されたガイド本体と、前記ガイド本体の前記貫通孔に嵌め込まれるガイドリングと、を備える。当該ガイドリングは、前記竿軸及び前記ガイド中心軸を通る第１面と前記ガイド中心軸周りの第１位置及び第２位置で交わり、前記第１面に垂直で且つ前記ガイド中心軸を通る第２面と前記ガイド中心軸周りの第３位置及び第４位置で交わる。当該ガイドリングは、前記ガイド中心軸からの視点で、前記第１位置を通る第１湾曲部と、前記第２位置を通る第２湾曲部と、前記第３位置を通り前記第１湾曲部の一端と前記第２湾曲部の一端とを接続する直線状の第１直線部と、前記第４位置を通り前記第１湾曲部の他端と前記第２湾曲部の他端とを接続する直線状の第２直線部と、を有する。当該ガイドリングは、前記第３位置及び前記第４位置における前記ガイド中心軸に沿う方向の幅が、前記第１位置及び前記第２位置における前記ガイド中心軸に沿う方向の幅よりも小さくなるように構成されている。
【０００７】
本発明の一実施形態において、前記第１直線部の前記ガイド中心軸に沿う方向の幅が、前記第１直線部と前記第１湾曲部との接続点から前記第３位置に近づくにつれて幅狭となる。
【０００８】
本発明の一実施形態において、前記第１直線部の前記ガイド中心軸に沿う方向の幅が、前記第１直線部と前記第２湾曲部との接続点から前記第１位置に近づくにつれて幅狭となる。
【０００９】
本発明の一実施形態において、前記第１湾曲部及び前記第２湾曲部は、前記ガイド中心軸に沿う方向の幅が一定となるように構成されている。
【００１０】
本発明の一実施形態において、前記ガイドリングは、前記ガイド中心軸を通る断面視において、その径方向外側から内側に向かって凸となるように湾曲している。
【００１１】
本発明の一実施形態において、前記ガイドリングは、前記第１位置において第１厚みを有し、前記第３位置及び前記第４位置において前記第１厚みよりも小さな厚みを有する。
【００１２】
本発明の一実施形態において、前記ガイドリングは、前記第２位置において第２厚み（Ｔ２）を有し、前記第３位置及び前記第４位置において前記第２厚みよりも小さな厚みを有する。
【００１３】
本発明の一実施形態において、前記ガイドリングは、前記ガイド中心軸を通る断面視において、前記第１位置及び前記第２位置における前記竿軸に沿った曲率半径が前記第３位置及び前記第４位置における前記竿軸に沿った曲率半径よりも大きくなるように構成されている。
【００１４】
本発明の一実施形態において、前記ガイドリングは、前記第１位置及び前記第２位置において前記ガイド本体よりも前記ガイド中心軸に沿う方向において前方に向かって突出している。
【００１５】
本発明の一実施形態において、前記第３位置及び前記第４位置において、前記ガイド中心軸に沿う方向における前記ガイドリングの前方の端部は、前記ガイド本体の前側の端部と面一である。本発明の一実施形態において、前記第３位置及び前記第４位置において、前記ガイド中心軸に沿う方向における前記ガイドリングの後方の端部は、前記ガイド本体の後側の端部と面一である。
【００１６】
本発明の一態様に係る釣竿は、上述した態様の釣糸ガイドを少なくとも１つ備える。
【発明の効果】
【００１７】
本発明の様々な態様によって、薄肉化加工及びリング保持部への取り付けが容易なガイドリングにより必要な強度と軽量化とを両立することができる釣糸ガイド及び当該釣糸ガイドを備えた釣竿が提供される。
【図面の簡単な説明】
【００１８】
【図１】本発明の一実施形態による釣竿の構成を模式的に示す側面図である。
【図２】本発明の一実施形態に係る釣竿ガイドの斜視図である。
【図３】図２の釣糸ガイドが備えるガイドリングを模式的に示す図である。
【図４】図２の釣糸ガイドの断面を模式的に示す断面図である。
【図５】図４の釣竿ガイドの一部を拡大して示す断面図である。
【図６】図４の釣竿ガイドの一部を拡大して示す断面図である。
【発明を実施するための形態】
【００１９】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００２０】
図１は、本発明の一実施形態による釣糸ガイド１０を備える釣竿１の外観図である。図示の実施形態において、釣竿１は、手元竿３と、複数（図１の例では３本）の中竿５と、穂先竿７と、を有する振り出し式の釣竿である。釣竿１の不使用時においては、中竿５及び穂先竿７が中空の手元竿３に収納される。
【００２１】
手元竿３、中竿５、及び穂先竿７は、例えば、炭素繊維に合成樹脂を含浸したプリプレグシートを用いて形成され得る。また、手元竿３、中竿５、及び穂先竿７は、それぞれ穂先方向に先細りとなるテーパー形状を有する。中竿５及び穂先竿７の外周面には、リールＲから繰り出される釣糸を釣竿１の穂先まで案内する複数の釣糸ガイド１０が設けられている。
【００２２】
本発明の一実施形態に係る釣糸ガイドを図２ないし図６を参照して説明する。図２は、一実施形態における釣糸ガイド１０の正面図であり、図３は、釣糸ガイド１０が有するガイドリングの正面図であり、図４から図６は、釣糸ガイド１０の断面を模式的に示す図である。
【００２３】
図示のように、釣糸ガイド１０は、ガイド本体１１と、このガイド本体１１に取り付けられる環状のガイドリング１２と、を備える。このガイド本体１１は、竿体３、竿体５、または竿体７のいずれかに取り付けられる足部１３と、足部１３に接続された板状のリング保持部１４と、を備える。説明の便宜のために、以下の説明では、釣糸ガイド１０が竿体５に取り付けられる場合を例に説明する。
【００２４】
本発明の一実施形態において、足部１３は、竿体５の外周面に沿って伸びる細長い板状又は舌状の部材である。足部１３は、例えばナイロン繊維から形成された巻糸によって竿体５に巻き付けられる。図２には、１つの足部によって竿体に取り付けられるシングルフットタイプの釣糸ガイドが例示されているが、本発明を適用可能なガイドリングはこのシングルフットタイプのものには限られない。例えば、本発明は、ダブルフットタイプのガイドリングにも適用可能である。ダブルフットタイプの釣糸ガイドは、リング保持部から前側及び後側にそれぞれ延びる一組の足部を有し、この一組の足部によって竿体に固定される。また、本発明は、固定式の釣糸ガイド及び可動式の釣糸ガイドのいずれにも適用することができる。可動式の釣糸ガイドは、遊動ガイドと呼ばれることもある。
【００２５】
本発明の一実施形態において、リング保持部１４は、足部１３の上端から延伸している。このリング保持部１４は、竿体５の後方から前方に向かって上方に傾斜している。つまり、リング保持部１４は、ガイドリング１０が竿体５に取り付けられたときに、竿体５の前方に倒れた姿勢を取る。本明細書において、前後方向又は上下方向に言及するときには、図４に記入されている前後方向及び上下方向を基準とする。この前方向は、釣竿１の竿軸Ａに沿って手元端から穂先に向かう方向であり、後ろ方向は、釣竿１の竿軸Ａに沿って穂先から手元端に向かう方向である。
【００２６】
リング保持部１４は、貫通孔を有する。この貫通孔は、リング保持部１４をガイド中心軸Ｂに沿って貫く。この貫通孔は、リング保持部１４の内周面１４ａによって画定され、正面視したときに左右対称及び上下対称となる形状を有する。ガイド中心軸Ｂは、この貫通孔の中心を通り前後方向に延びる。ガイド中心軸Ｂは、竿軸Ａと角度を為す方向に延びる。
【００２７】
ガイドリング１２は、リング保持部１４の貫通孔に嵌め込まれている。図３に示されているように、ガイドリング１２も正面視において左右対称及び上下対称の形状を有する。リング保持部１４は、概ね平坦な板状の部材であるが、足部１３との接続部分は、図３に示すように緩やかに湾曲している。つまり、リング保持部１４は、ガイドリング１０が嵌め込まれる貫通孔が形成された概ね平坦な平坦部と、足部１３に接続される緩やかに湾曲した湾曲部と、を含む。
【００２８】
足部１３及びリング保持部１４は、プリプレグシートから一体に作製することができる。足部１３及びリング保持部１４を作製する際には、まず複数のプリプレグシートをプレス加工により貼り合わせて焼成及び硬化し、プリプレグ成形品が作製される。次にこのプリプレグ成形品から、足部１３及びリング保持部１４に相当する形状のフレームが切り出される。このようにして、足部１３及びリング保持部１４が一体となったフレームが得られる。プリプレグシートから釣糸ガイドを作製する工程の詳細については、例えば本出願人の国際出願ＰＣＴ／ＪＰ２０１２／０７９５９５に記載されている。釣糸ガイド１０は、上記以外の任意の公知の手法を用いて作製できる。例えば、釣糸ガイド１０は、金属や合成樹脂を用いた射出成形により形成され得る。
【００２９】
上述したように、リング保持部１４の貫通孔には、環状のガイドリング１２が嵌め込まれる。ガイド中心軸Ｂは、このガイドリング１２の中心を通っている。ガイドリング１２は、例えば、セラミックス、金属、合金、またはこれらの複合材から成る。ガイドリング１２は、母材層と、この母材層の内周面１２ａ側の表面に形成された内表面層と、この母材層の外周面側の表面に形成された外表面層とを有していてもよい。母材層２１は、例えば、Ｃｏ、Ｎｉ、Ｃｒ、Ｍｏ、Ｆｅ及び不可避不純物を含む合金から成る。母材層２１は、Ｍｎ、Ｔｉ、及び／又はＮｂを含んでいてもよい。内表面層及び外表面層は、例えば、クロムカーバイト（ＣｒＣ）、チタンカーバイト（ＴｉＣ）、またはバナジウムカーバイト（ＶＣ）から成る。内表面層及び外表面層は、ビッカース硬度１３００Ｈｖ〜３０００Ｈｖ程度の高硬度を有する。
【００３０】
ガイドリング１２の形状及び配置について図３〜図６を参照してさらに説明する。まず、図３を参照して、ガイドリング１２の正面視における形状を説明する。図３には、ガイド中心軸Ｂの方向から視たガイドリング１２を図示している。図示のように、ガイドリング１２は、正面視において図３の上下方向に長いリング形状を有する。ガイドリング１２は、上に凸に湾曲した第１湾曲部１２Ａと、下に凸に湾曲した第２湾曲部１２Ｂと、第１湾曲部１２Ａの一端と第２湾曲部１２Ｂの一端とを接続する直線状の第１直線部１２Ｃと、第１湾曲部１２Ａの他端と第２湾曲部１２Ｂの他端とを接続する直線状の第２直線部１２Ｄと、を有する。図示の実施形態において、第１湾曲部１２Ａの内周面は部分円弧であり、第１湾曲部１２Ａの外周面は当該部分円弧と同心の部分円弧である。同様に、第２湾曲部１２Ｂの内周面及び外周面は同心の部分円弧である。第１直線部１２Ｃ及び第２直線部１２Ｄは、正面視において長方形形状を有する。
【００３１】
ガイドリング１２は、竿軸Ａ及びガイド中心軸Ｂを通る面（本明細書において「第１面」ということがあり、図４の紙面に平行な面である。）と第１位置Ｐ１及び第２位置Ｐ２で交わる。第１位置Ｐ１は、ガイドリング１２の頂部に相当し、第２位置Ｐ２は、ガイドリング１２の底部に相当する。言い換えると、ガイドリング１２を正面視したときに、ガイドリング１２の周方向において、第１位置Ｐ１は０時の位置にあり、第２位置Ｐ２は６時の位置にある。第１位置Ｐ１は、第１湾曲部１２Ａの左右方向の中心に位置し、第２位置Ｐ２は、第２湾曲部１２Ｂの左右方向の中心に位置する。
【００３２】
また、ガイドリング１２は、第１面に垂直で且つガイド中心軸Ｂを通る面（本明細書において「第２面」といい、図４の紙面に垂直な方向に延びガイド中心軸Ｂを通る面である。）と第３位置Ｐ３及び第４位置Ｐ４で交わる。第３位置Ｐ３及び第４位置Ｐ４は、ガイドリング１２の側部に相当する。ガイドリング１２を正面視したときに、ガイドリング１２の周方向において、第３位置Ｐ３は３時の位置にあり、第４位置Ｐ４は９時の位置にある。第３位置Ｐ３は、第１直線部１２Ｃの図３における上下方向の中心に位置し、第４位置Ｐ４は、第２直線部１２Ｄの図３における上下方向の中心に位置する。
【００３３】
次に、図４から図６を参照して、ガイドリング１２の断面形状を説明する。図４に示されているように、ガイドリング１２は、その周方向に沿って延びるリング内周面１２ａと、このリング外周面１２ａと概ね平行に延びるリング外周面１２ｂと、を有する。このリング内周面１２ａとリング外周面１２ｂとは、後側の端面１２ｃ及び前側の端面１２ｄで接続されている。図示のように、ガイドリング１２は、そのガイド中心軸Ｂを含む切断面で切断したときの断面視において径方向内側に向かって凸に湾曲するように形成されている。つまり、ガイドリング１２は、ガイド内周面１４ａからガイド中心軸Ｂに向かって突出するように湾曲している。本発明の一実施形態において、ガイドリング１２は、リング保持部１４の後面よりも後側に突出している後縁部１２ｅを有する。後縁部１２ｅは、ガイドリング１２の周方向の少なくとも一部の領域においてリング保持部１４の後面に接するように形成されている。これにより、ガイドリング１２は安定的にリング保持部１４に保持される。釣竿１の使用時には、釣糸Ｌがガイドリング１２の中を通過する。ガイドリング１２は、釣糸Ｌの巻き取り時に、リング内周面１２ａの頂部付近において釣糸Ｌと接触する。
【００３４】
図５に示すように、ガイドリング１２の第２直線部１２Ｄは、そのガイド中心軸Ｂに沿う方向の幅が、第２直線部１２Ｄと第１湾曲部１２Ａとの接続点から第４位置Ｐ４に近づくにつれて幅狭となり、また、第２直線部１２Ｄと第２湾曲部１２Ｂとの接続点から第４位置Ｐ４に近づくにつれて幅狭となるように構成される。同様に、ガイドリング１２の第１直線部１２Ｃは、そのガイド中心軸Ｂに沿う方向の幅が、第１直線部１２Ｃと第１湾曲部１２Ａとの接続点から第３位置Ｐ３に近づくにつれて幅狭となり、また、第１直線部１２Ｃと第２湾曲部１２Ｂとの接続点から第３位置Ｐ３に近づくにつれて幅狭となるように構成される。これに対して、ガイドリング１２の第１湾曲部１２Ａは、そのガイド中心軸Ｂに沿う方向の幅Ｗ１が一定又はほぼ一定となるように構成される。同様に、ガイドリング１２の第２湾曲部１２Ｂは、そのガイド中心軸Ｂに沿う方向の幅Ｗ２が一定又はほぼ一定となるように構成される。このため、第３位置Ｐ３におけるガイド中心軸Ｂに沿う方向の幅Ｗ３及び第４位置Ｐ４におけるガイド中心軸Ｂに沿う方向の幅Ｗ４は、第１位置Ｐ１及び前記第２位置におけるガイド中心軸Ｂに沿う方向の幅Ｗ１、Ｗ２よりも小さくなる。つまり、第１直線部１２Ｃ及び第２直線部１２Ｄは、ガイド中心軸Ｂ方向において薄肉化されている。幅Ｗ１は、幅Ｗ２と同じか実質的に同じであってもよい。幅Ｗ３は、幅Ｗ４と同じか実質的に同じであってもよい。図示のように、幅Ｗ３及び幅Ｗ４は、リング保持部１４のガイド中心軸Ｂに沿う方向の幅と同じであってもよい。本明細書において、ガイドリング１２の２つの部位の幅が実質的に同じとは、当該２つの部位の幅の差が大きい方の幅の１０％以内であることを意味する。ガイドリング１２は、図５に示されているように、ガイドリング１２は、ガイド中心軸Ｂを通る断面視においてＣ字状に湾曲しているので、そのガイド中心軸Ｂに沿う方向の幅は、径方向の位置によって変わる。第１位置Ｐ１、第２位置Ｐ２、第３位置Ｐ３、及び第４位置Ｐ４におけるガイドリング１２のガイド中心軸Ｂに沿う方向の幅Ｗ１〜Ｗ４を比較する際には、これらの幅は径方向における同じ位置で計測される。例えば、図５及び図６に示されているように、ガイドリング１２のガイド中心軸Ｂに沿う方向の幅Ｗ１〜Ｗ４は、リング保持部１４の内周面１４ａからガイド中心軸Ｂに向かって（すなわち、径方向に）僅かにシフトした位置（例えば、リング保持部１４のガイド中心軸Ｂにおける幅の１／１０だけシフトした位置）で測定される。
【００３５】
本発明の一実施形態において、ガイドリング１２は、第１位置Ｐ１において第１厚みＴ１を有し、第２位置Ｐ２において第２厚みＴ２を有し、第３位置Ｐ３において第３厚みＴ３を有し、第４位置Ｐ４において第４厚みＴ４を有する。ガイドリング１２の厚みは、ガイドリング１２の径方向の寸法を意味する。ガイドリング１２は、第１位置Ｐ１における第１厚みＴ１及び第２位置Ｐ２における第２厚みＴ２が、第３位置Ｐ３における第３厚みＴ３及び第４位置Ｐ４における第４厚みＴ４よりも大きくなるように構成される。一実施形態において、第１厚みＴ１及び第２厚みＴ２は、第３厚みＴ３及び第４厚みＴ４よりも２０％以上大きい。厚みＴ１は、厚みＴ２と同じか実質的に同じであってもよい。厚みＴ３は、厚みＴ４と同じか実質的に同じであってもよい。本明細書において、ガイドリング１２の２つの部位の厚みが実質的に同じとは、当該２つの部位の厚みの差が大きい方の厚みの１０％以内であることを意味する。
【００３６】
本発明の一実施形態において、ガイドリング１２は、ガイド中心軸Ｂを通る断面で切断したときの断面視において、第１位置Ｐ１及び第２位置Ｐ２における竿軸Ａに沿った曲率半径が第３位置Ｐ３及び第４位置Ｐ４における竿軸Ａに沿った曲率半径よりも大きくなるように構成されている。
【００３７】
図５に示されているように、本発明の一実施形態において、ガイドリング１２は、第１位置Ｐ１及び第２位置Ｐ２においてリング保持部１４よりもガイド中心軸Ｂに沿う方向において前方に向かって突出する。他方、ガイドリング１２は、第３位置Ｐ３及び第４位置Ｐ４において、リング保持部１４よりもガイド中心軸Ｂに沿う方向において前方に向かって突出しない。図示の実施形態において、ガイドリング１２は、ガイド中心軸Ｂに沿う方向における前方の端部が、第３位置Ｐ３及び第４位置Ｐ４において、リング保持部１４の前側の端部と面一となるように構成及び配置されている。図示の実施形態では、ガイドリング１２は、ガイド中心軸Ｂに沿う方向における後方の端部が、第３位置Ｐ３及び第４位置Ｐ４において、リング保持部１４の後側の端部と面一となるように構成及び配置されている。すなわち、図示の実施形態では、第３位置Ｐ３及び第４位置Ｐ４において、ガイド中心軸Ｂに沿う方向におけるガイドリング１２の幅Ｗ３、Ｗ４が、リング保持部１４の幅と等しくなっている。
【００３８】
次に、ガイドリング１２の例示的な加工方法について説明する。まず、ガイドリング母材を準備する。このガイドリング母材としては、Ｃｏ−Ｎｉ基合金を使用することができる。このガイドリング母材は、厚さ０．１ｃｍ〜０．３ｃｍの薄板形状に加工される。次に、この薄板形状のガイドリング母材を９００℃〜１０００℃まで加熱して軟化する。この加熱によってガイドリング母材が軟化している間に、プレス加工により、当該ガイドリング母材を薄板形状からリング形状の中間材に加工する。このリング形状の中間材に対して、浸炭処理やクロマイジング処理を行ってもよい。次に、この中間材の表面を研磨又は切削することで、所定の寸法及び形状を有するガイドリング１２が得られる。
【００３９】
以上のようにして作成されたガイドリング１２は、別途作成されたガイド本体１１のリング保持部１４の貫通孔に後方から嵌め込まれる。
【００４０】
次に、上記の実施形態が奏する作用効果について説明する。上記の実施形態において、ガイドリング１２は、第１直線部１２Ｃにある第３位置Ｐ３及び第２直線部１２Ｄにある第４位置Ｐ４におけるガイド中心軸Ｂに沿う方向の幅（Ｗ３、Ｗ４）が、第１湾曲部１２Ａにある第１位置Ｐ１及び第２湾曲部１２Ｂにある第２位置Ｐ２におけるガイド中心軸Ｂに沿う方向の幅（Ｗ１、Ｗ２）よりも小さくなるように構成されている。このように、ガイドリング１２は、釣糸Ｌと接触しにくい第１直線部１２Ｃ及び第２直線部１２Ｄが選択的に薄肉化されているため、強度を犠牲にすることなく軽量化を実現している。また、ガイドリング１２においては、湾曲していない第１直線部１２Ｃ及び第２直線部１２Ｄが薄肉化されているので、湾曲している部位を薄肉化する場合と比べて、薄肉化するための加工が容易である。また、ガイドリング１２及びリング保持部１４の貫通孔が上下方向に長いため、ガイドリング１２をリング保持部１４へ嵌め込む際の周方向における位置合わせが容易である。このように、ガイドリング１０によれば、薄肉化加工及びリング保持部への取り付けが容易なガイドリング１２により必要な強度と軽量化とを両立している。
【００４１】
上記の実施形態によれば、ガイドリング１２は、第１位置Ｐ１における第１厚みＴ１及び第２位置Ｐ２における第２厚みＴ２が、第３位置における第３厚みＴ３及び第４位置Ｐ４における第４厚みＴ４よりも大きくなるように構成される。ガイドリング１２は、釣糸Ｌの巻き取り時に第２位置Ｐ２付近において釣糸Ｌと接触する。第２位置Ｐ２における第２厚みＴ２を選択的に厚くすることで、重量の増加を抑制しつつ摩耗によるガイドリング１２の破壊を抑制することができる。また、ガイドリング１２は、第１位置Ｐ１における第１厚みＴ１も厚みＴ３や厚みＴ４よりも大きくなるように構成されているので、リング保持部１４に上下逆に取り付けた場合でも摩耗によるガイドリング１２の破壊を抑制することができる。
【００４２】
上記の実施形態において、ガイドリング１２は、第２位置Ｐ２における竿軸Ａに沿った曲率半径が第３位置Ｐ３及び第４位置Ｐ４における竿軸Ａに沿った曲率半径よりも大きくなるように構成されている。上記のとおり、ガイドリング１２は、釣糸Ｌの巻き取り時に第２位置Ｐ２付近において釣糸Ｌと接触する。よって、上記実施形態によれば、釣糸Ｌの巻き取り時に、釣糸Ｌをガイドリング１２の曲率半径が大きな部位で支持することができる。これにより、ガイドリング１２に釣糸Ｌから作用する摩擦を分散できるので、摩耗によるガイドリング１２の破壊を抑制することができる。また、ガイドリング１２は、第１位置Ｐ１における竿軸Ａに沿った曲率半径も第３位置Ｐ３及び第４位置Ｐ４における竿軸Ａに沿った曲率半径より大きくなるように構成されているので、ガイドリング１２をリン
グ保持部１４に上下逆に取り付けた場合でも摩耗によるガイドリング１２の破壊を抑制することができる。
【００４３】
上記の実施形態において、ガイドリング１２は、第１位置Ｐ１及び第２位置２においてガイド本体１１のリング保持部１４よりもガイド中心軸Ｂに沿う方向において前方に向かって突出している。他方、第３位置Ｐ３及び第４位置Ｐ４において、ガイド中心軸Ｂに沿う方向におけるガイドリング１２の前方の端部は、リング保持部１４の前側の端部と面一である。これにより、ガイドリング１２をリング保持部１４に嵌め込む際に、ガイドリング１２のガイド中心軸Ｂ方向における位置決めが容易となる。すなわち、第３位置Ｐ３及び第４位置Ｐ４においてその前端がリング保持部１４と面一となるまでガイドリング１２をリング保持部１４の貫通孔に押し込むことで、初期の位置にガイドリング１２を配置することができる。ガイドリング１２の押し込み量が足りないとガイドリング１２がリング保持部１４から前方に脱落する原因となり、また、ガイドリング１２を押し込み過ぎるとガイドリング１２の破断の原因となる。上記の実施形態によれば、ガイドリング１２がガイド中心軸Ｂ方向において初期の位置まで押し込まれたことを簡便に知ることができる。
【００４４】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００４５】
１  釣竿
３、５、７  竿体
１０  釣糸ガイド
１１  ガイド本体
１２  ガイドリング
１２Ａ  第１湾曲部
１２Ｂ  第２の湾曲部
１２Ｃ  第１の直線部
１２Ｄ  第２の直線部
１３  足部
１４  リング保持部
Ｌ  釣糸
【図１】
2020156399.tif 000003
【図２】
2020156399.tif 000004
【図３】
2020156399.tif 000005
【図４】
2020156399.tif 000006
【図５】
2020156399.tif 000007
【図６】
2020156399.tif 000008